(57)【要約】【課題】吹出口から吹き出される空気を広範囲に行き渡らせることができる送風装置を提供する。【解決手段】送風装置１は、外部に向けて空気を吹き出す第１吹出口１００Ａ１および第２吹出口１００Ｂ１と、第１吹出口１００Ａ１の送風下流側に位置する第１風向調整部と、第２吹出口１００Ｂ１の送風下流側に位置する第２風向調整部２０Ｂと、第１吹出口１００Ａ１および第２吹出口１００Ｂ１に空気を送風する送風機５１Ａ，５１Ｂとを備える。第１風向調整部および第２風向調整部２０Ｂは、第１風向調整部を介して吹き出される第１空気流の送風範囲と、第２風向調整部を介して吹き出される第２空気流の送風範囲とが開放空間において重なり可能となるように構成されている。【選択図】図４
2015081690.tif 000002
【特許請求の範囲】
【請求項１】
外部に向けて空気を吹き出す第１吹出口および第２吹出口と、
前記第１吹出口の送風下流側に位置する第１風向調整部と、
前記第２吹出口の送風下流側に位置する第２風向調整部と、
前記第１吹出口および前記第２吹出口に空気を送風する送風機とを備え、
前記第１風向調整部および前記第２風向調整部は、前記第１風向調整部を介して吹き出される第１空気流の送風範囲と、前記第２風向調整部を介して吹き出される第２空気流の送風範囲とが開放空間において重なり合うことが可能となるように構成されている、送風装置。
【請求項２】
前記第１風向調整部および前記第２風向調整部のそれぞれは、互いに離間して対向配置される第１風向調整板および第２風向調整板を含み、
前記第１風向調整板および前記第２風向調整板は、送風下流側に向かうにつれて前記第１風向調整板と前記第２風向調整板との間の間隔が狭くなるように傾斜して配置されており、
前記第１風向調整板および前記第２風向調整板は、送風上流側に位置する基端部の幅に比べて送風下流側に向かうにつれて幅が狭くなっている、請求項１に記載の送風装置。
【請求項３】
前記第１風向調整部における、前記第１風向調整板と前記第２風向調整板とが並ぶ方向と、前記第２風向調整部における、前記第１風向調整板と前記第２風向調整板とが並ぶ方向とが交差する、請求項２に記載の送風装置。
【請求項４】
前記送風機によって送風される空気に対してイオンを放出するイオン発生器をさらに備え、
前記第１吹出口および前記第２吹出口の少なくとも一方からイオンを含む空気が吹き出される、請求項１から３のいずれか１項に記載の送風装置。
【請求項５】
前記第１風向調整部および前記第２風向調整部は、吹出方向が変化するように回動可能に構成されている、請求項１から４のいずれか１項に記載の送風装置。
【発明の詳細な説明】
【技術分野】
【０００１】
本発明は、複数の吹出口を備えた送風装置に関する。
【背景技術】
【０００２】
従来から浄化作用を有する空気調和機が数多く実用化されている。この種の空気調和機が開示された文献として、たとえば、特開２０１１−３３３０５号公報（特許文献１）、特開２０１１−２３７１３９号公報（特許文献２）が挙げられる。
【０００３】
特許文献１には、空気浄化作用のある静電微粒子水を発生させる静電霧化手段と、静電微粒子水を室内に向けて搬送する送風装置とを備えた静電霧化装置が開示されている。送風装置は、本体ケースに設けられた吹出口および吸込口と、吸込口から吹出口に送風する送風機と、吹出口に設けられた開閉自在の風向ルーバーとを含む。このような構成とすることにより、風向ルーバーによって所定の方向に向けて静電微粒子水を放出することができる。
【０００４】
特許文献２には、空気浄化作用のあるイオンを室内に向けて搬送する送風装置が開示されている。送風装置は、吸込口と、前方を主たる吹出方向とする第１吹出口と、上方を主たる吹出方向とする第２吹出口と、吸込口から第１吹出口および第２吹出口に送風する送風機とを備える。
【０００５】
第１吹出口には、俯仰角可変のルーバーが設けられ、ルーバーからは、送風機から第１吹出口および第２吹出口に向けて送風される空気に干渉する導風板が突出する。ルーバーの回動に連動して導風板が移動することにより、第１吹出口および第２吹出口のそれぞれから吹き出される風量が配分される。
【先行技術文献】
【特許文献】
【０００６】
【特許文献１】特開２０１１−３３３０５号公報
【特許文献２】特開２０１１−２３７１３９号公報
【発明の概要】
【発明が解決しようとする課題】
【０００７】
空気浄化作用のある静電微粒子水およびイオン等の浄化物質は、室内全体に届けられることが要求される。一般的に、送風装置は室内の一方の壁際に設置され、浄化物質を含んだ風は送風装置の作用により部屋の中央部に向けて放出される。
【０００８】
しかしながら、特許文献１に開示の静電霧化装置にあっては、吹出口が１つのみ設けられているため、風向ルーバーによって吹出口から吹き出される空気の風向が所定の方向に調整された場合であっても、その風向は所定の吹出方向に集中してしまう。このため、静電微粒子水が放出される方向は限定される。
【０００９】
一方、特許文献２に開示の送風装置にあっては、２つの吹出口が設けられているものの、第１吹出口に設けられたルーバーは、第１吹出口から吹き出される空気の風向を床面側に向かうように可変させるものである。このため、ルーバーを可変させた場合には、第２吹出口から吹き出される空気から離れる方向に第１吹出口から空気が吹き出されることになる。この結果、特許文献２に開示の送風装置にあっては、風向は２つの吹出方向に集中されることになり、これら以外の方向に空気をうまく拡散させることが困難となる。
【００１０】
本発明は、上記のような問題に鑑みてなされたものであり、本発明の目的は、吹出口から吹き出される空気を広範囲に行き渡らせることができる送風装置を提供することを目的とする。
【課題を解決するための手段】
【００１１】
本発明に基づく送風装置は、外部に向けて空気を吹き出す第１吹出口および第２吹出口と、上記第１吹出口の送風下流側に位置する第１風向調整部と、上記第２吹出口の送風下流側に位置する第２風向調整部と、上記第１吹出口および上記第２吹出口に空気を送風する送風機とを備える。上記第１風向調整部および上記第２風向調整部は、上記第１風向調整部を介して吹き出される第１空気流の送風範囲と、上記第２風向調整部を介して吹き出される第２空気流の送風範囲とが開放空間において重なり合うことが可能となるように構成されている。
【００１２】
上記本発明に基づく送風装置にあっては、上記第１風向調整部および上記第２風向調整部のそれぞれは、互いに離間して対向配置される第１風向調整板および第２風向調整板を含むことが好ましい。この場合には、上記第１風向調整板および上記第２風向調整板は、送風下流側に向かうにつれて上記第１風向調整板と上記第２風向調整板との間の間隔が狭くなるように傾斜して配置されていることが好ましい。また、上記第１風向調整板および上記２風向調整板は、送風上流側に位置する基端部の幅に比べて送風下流側に向かうにつれて幅が狭くなっていることが好ましい。
【００１３】
上記本発明に基づく送風装置にあっては、上記第１風向調整部における、上記第１風向調整板と上記第２風向調整板とが並ぶ方向と、上記第２風向調整部における、上記第１風向調整板と上記第２風向調整板とが並ぶ方向とが交差することが好ましい。
【００１４】
上記本発明に基づく送風装置は、上記送風機によって送風される空気に対してイオンを放出するイオン発生器をさらに備えることが好ましい。この場合には、上記第１吹出口および上記第２吹出口の少なくとも一方からイオンを含む空気が吹き出されることが好ましい。
【００１５】
上記本発明に基づく送風装置にあっては、上記第１風向調整部および上記第２風向調整部は、吹出方向が変化するように回動可能に構成されていることが好ましい。
【発明の効果】
【００１６】
本発明によれば、吹出口から吹き出される空気を広範囲に行き渡らせることができる送風装置を提供することができる。
【図面の簡単な説明】
【００１７】
【図１】本実施の形態１に係る送風装置の斜視図である。
【図２】図１に示す送風装置の正面図である。
【図３】図１に示す送風装置の右側面図である。
【図４】図２に示すＩＶ−ＩＶ線に沿った模式断面図である。
【図５】図４に示す送風ユニットの一例を示す外観図である。
【図６】図４に示すイオン発生器の平面図である。
【図７】図６に示す矢印ＶＩＩに示す方向から見たイオン発生器の正面図である。
【図８】図６に示す矢印ＶＩＩＩに示す方向から見たイオン発生器の正面図である。
【図９】送風装置の側面側から見た場合における第１風向調整部を介して吹き出される第１空気流を示す模式図である。
【図１０】送風装置の上面側から見た場合における第２風向調整部を介して吹き出される第２空気流を示す模式図である。
【図１１】図１に示す送風装置およびこれから吹き出される第１空気流および第２空気流の中心線を示す図である。
【図１２】図１に示す送風装置によって室内に拡散されるイオンの濃度分布に関するシミュレーション結果を示す図である。
【図１３】実施の形態２に係る送風装置およびこれから吹き出される第１空気流および第２空気流の中心線を示す図である。
【図１４】実施の形態３に係る送風装置およびこれから吹き出される第１空気流および第２空気流の中心線を示す図である。
【図１５】本発明の効果を検証するために行なった検証実験の観測位置を示す図である。
【発明を実施するための形態】
【００１８】
以下、本発明の実施の形態について、図を参照して詳細に説明する。なお、以下に示す実施の形態においては、同一のまたは共通する部分について図中同一の符号を付し、その説明は繰り返さない。
【００１９】
（実施の形態１）
図１は、本実施の形態に係る送風装置を示す斜視図である。図２は、図１に示す送風装置の正面図である。図３は、図１に示す送風装置の右側面図である。図４は、図２に示すＩＶ−ＩＶ線に沿った模式断面図である。図１から図４を参照して、本実施の形態に係る送風装置１について説明する。
【００２０】
図１から図４に示すように、本実施の形態に係る送風装置１は、送風ユニット２Ａ，２Ｂ（図４参照）と、当該送風ユニット２Ａ，２Ｂを収容する筐体１０とを備える。
【００２１】
筐体１０は、上下方向（図中Ｚ軸方向）に沿って並んで配置されている送風ユニット２Ａ，２Ｂ（図４参照）のうち上側に配置される送風ユニット２Ａの一部を収容する収容部１２と、側面の一方側（右側）に設けられた吸込口１１とを含む。
【００２２】
筐体１０の正面側には、開口部１４，１５が設けられている。開口部１４は、収容部１２の正面側に位置し、開口部１５は、筐体１０の正面側の略中央に位置する。開口部１４は、正面側から見た場合に略上下方向（Ｚ軸方向）に延在する長辺と略左右方向（図中Ｘ軸方向）に延在する短辺とを有する。開口部１５は、正面から見た場合に略上下方向に延在する短辺と左右方向に延在する長辺とを有する。
【００２３】
開口部１４，１５の長辺側からは、後述する風向調整ユニット３Ａ，３Ｂが、送風下流側（図中Ｙ軸負方向）に向けて突出している。
【００２４】
図４に示すように、送風ユニット２Ａは、送風機５１Ａと、送風ダクト５３Ａと、イオン発生器６０Ａと、吹出ダクト１００Ａと、第１吹出口１００Ａ１と、風向調整ユニット３Ａとを含む。送風ユニット２Ｂは、送風機５１Ｂと、送風ダクト５３Ｂと、イオン発生器６０Ｂと、吹出ダクト１００Ｂと、第２吹出口１００Ｂ１と、風向調整ユニット３Ｂとを含む。
【００２５】
以下、送風ダクト５３Ａおよび送風ダクト５３Ｂを特に区別しない場合は、これらを送風ダクト５３と称し、吹出ダクト１００Ａおよび吹出ダクト１００Ｂを特に区別しない場合は、これらを吹出ダクト１００と称する。
【００２６】
また、イオン発生器６０Ａとイオン発生器６０Ｂとを特に区別しない場合は、これらをイオン発生器６０と称し、風向調整ユニット３Ａおよび風向調整ユニット３Ｂを特に区別しない場合は、これらを風向調整ユニット３と称する。
【００２７】
送風機５１Ａ，５１Ｂは、吸込口１１から送風装置１外部の空気を取り込み、取り込んだ空気を送風ダクト５３Ａ，５３Ｂに向けて送出する。送風機５１Ａと送風機５１Ｂとは、それぞれの送風機の回転軸が互いに平行となるように設けられている。送風機５１Ａおよび送風機５１Ｂとしては、シロッコファン、プロペラファン、ターボファン形式の送風機を採用することができる。
【００２８】
吹出ダクト１００は、イオン発生器６０を介して送風ダクト５３に接続されている。イオン発生器６０には、後述する送風空間６４ａ，６４ｂ（図５参照）が形成されており、この送風空間６４ａ，６４ｂによって吹出ダクト１００と送風ダクト５３とが連通している。
【００２９】
このように、吹出ダクト１００Ａ，１００Ｂと送風ダクト５３Ａ，５３Ｂとを接続することにより、送風経路５２Ａ，５２Ｂを規定するダクト４Ａ，４Ｂが構成される。ここで、ダクト４Ａおよびダクト４Ｂを特に区別しない場合は、これらをダクト４と称する。なお、吹出ダクト１００と送風ダクト５３が一体に形成されることによりダクト４が構成されていてもよい。
【００３０】
第１吹出口１００Ａ１は、送風下流側における吹出ダクト１００Ａの開口端によって規定される。第１吹出口１００Ａ１は、送風機５１Ａから送風された空気を外部に向けて吹き出す。第１吹出口１００Ａ１の送風下流側には、風向調整ユニット３Ａが設けられている。風向調整ユニット３Ａは、吹出ダクト１００Ａの開口端部近傍に接続される。
【００３１】
第２吹出口１００Ｂ１は、送風下流側における吹出ダクト１００Ｂの開口端によって規定される。第２吹出口１００Ｂ１は、送風機５１Ｂから送風された空気を外部に向けて吹き出す。第２吹出口１００Ｂ１の送風下流側には、風向調整ユニット３Ｂが設けられている。風向調整ユニット３Ｂは、吹出ダクト１００Ｂの開口端部近傍に接続される。
【００３２】
送風ユニット２Ａにおいて、イオン発生器６０Ａ側に位置する送風ダクト５３Ａの開口部は、図中ＤＲ１方向が長手方向、図中Ｘ軸方向が短手方向となるように形成されている。これに対応して第１吹出口１００Ａ１も図中ＤＲ１方向が長手方向、図中Ｘ軸方向が短手方向となるように形成されている。すなわち、吹出口１００Ａ１は、その法線方向から見た場合に略矩形形状を有する。
【００３３】
送風ユニット２Ｂにおいて、イオン発生器６０Ｂ側に位置する送風ダクト５３Ｂの開口部は、図中ＤＲ２方向が短手方向、図中略Ｘ軸方向が長手方向となるように形成されている。これに対応して吹出口１００Ｂ１も図中Ｘ軸方向が長手方向、図中ＤＲ２方向が短手方向となるように形成されている。すなわち、吹出口１００Ｂ１は、その法線方向から見た場合に略矩形形状を有する。
【００３４】
なお、ＤＲ１方向およびＤＲ２方向がＸＺ平面に対して傾斜した場合を例示しているが、これに限定されず、ＸＺ平面に平行であってもよい。また、ＤＲ１方向とＤＲ２方向とは、ＸＺ平面に対する傾斜角が異なるように設定されてもよく、同じになるように設定されてもよい。
【００３５】
吹出ダクト１００Ｂは、正面から見た場合に、その長手方向が吹出ダクト１００Ａの長手方向に交差するように、送風ダクト５３Ｂに接続されている。これにより、風向調整ユニット３Ｂにおいても、正面から見た場合に、その長手方向が風向調整ユニット３Ａの長手方向に交差するように吹出ダクト１００Ｂに取り付けられている。
【００３６】
たとえば、正面から見た場合に、吹出ダクト１００Ｂの長手方向と吹出ダクト１００Ａの長手方向とは略直交し、風向調整ユニット３Ｂの長手方向と風向調整ユニット３Ａの長手方向とは略直交する。
【００３７】
図１、図２および図４に示すように、吹出ダクト１００Ａ，１００Ｂ内には、防護網１８Ａ，１８Ｂが配置されている。防護網１８Ａ，１８Ｂは、第１吹出口１００Ａ１および第２吹出口１００Ｂ１の送風上流側に配置されている。防護網１８Ａ，１８Ｂは、外部から指などの異物が進入するのを防ぐために設けられている。
【００３８】
図４に示すように、イオン発生器６０は、イオンを発生させ、送風機によって送風される空気に対してイオンを放出する。放出されたイオンは、ダクト４中を通り第１吹出口１００Ａ１および第２吹出口１００Ｂ１から外部に吹出される。イオン発生器６０は、ダクト４に対して着脱自在に取り付けられる。また、イオン発生器６０Ａは、長手方向がＤＲ１方向に沿うようにダクト４Ａに組み付けられ、イオン発生器６０Ｂは、長手方向がＸ軸に沿うようにダクト４Ｂに組み付けられる。
【００３９】
図５は、図４に示す送風ユニットの一例を示す外観図である。具体的には、図５は、図４に示す送風ユニット２Ａを示す外観図である。図５を参照して、送風ユニット２Ａにおける風向調整ユニット３Ａの詳細について説明する。
【００４０】
図５に示すように、風向調整ユニット３Ａは、第１風向調整部２０Ａ、第１漏気防止部８１Ａ、第２漏気防止部８２Ａおよび駆動部７０とを含む。風向調整ユニット３Ａは、吹出ダクト１００Ａに回動可能に取り付けられている。
【００４１】
第１風向調整部２０Ａは、互いに離間して対向配置される第１風向調整板２１Ａおよび第２風向調整板２２Ａと、これらの基端部２１ａ，２２ａの一端側同士および他端側同士を第１風向調整板２１Ａおよび第２風向調整板２２Ａが並ぶ方向に亘って接続する接続部２３Ａとを含む。
【００４２】
第１風向調整板２１Ａおよび第２風向調整板２２Ａは、送風下流側に向かうにつれて第１風向調整板２１Ａと第２風向調整板２２Ａとの間の間隔が狭くなるように傾斜して配置されている。第１風向調整板２１Ａおよび第２風向調整板２２Ａは、送風上流側に位置する基端部２１ａ，２２ａの幅に比べて送風下流側に向かうにつれて幅（図中Ｗ１）が狭くなっている。
【００４３】
第１風向調整板２１Ａおよび第２風向調整板２２Ａは、たとえば、半円形状、半楕円形状、半多角形状に形成され、互いに鏡面対称に形成されていることが好ましい。第１風向調整板２１Ａおよび第２風向調整板２２Ａは、一定の角度を有するように傾斜して配置されてもよいし、より空気抵抗を低減させるために湾曲して折り曲げられもよいし、段階的に折り曲げられるように構成されていてもよい。
【００４４】
吹出ダクト１００Ａの開口端部１００Ａ２における短辺側には、送風下流側に向けて延在する支持部１０１が設けられている。支持部１０１に第１風向調整部２０Ａの接続部２３が回動可能に支持される。
【００４５】
第１漏気防止部８１Ａは、第１風向調整板２１Ａと吹出ダクト１００Ａとの間の隙間を覆いつつ第１風向調整板２１Ａの回動に対して追従可能に構成されている。第１漏気防止部８１Ａは、第１風向調整板２１Ａと吹出ダクト１００Ａとの間の隙間を覆うことにより、吹出ダクト１００Ａから吹き出される空気の漏れを抑制できるとともに、当該空気を第１風向調整板２１Ａと第２風向調整板２２Ａとの間の空間に向けて案内することができる。
【００４６】
第２漏気防止部８２Ａは、第２風向調整板２２Ａと吹出ダクト１００Ａとの間の隙間を覆いつつ第２風向調整板２２Ａの回動に対して追従可能に構成されている。第２漏気防止部８２Ａは、第２風向調整板２２Ａと吹出ダクト１００Ａとの間の隙間を覆うことにより、吹出ダクト１００Ａから吹き出される空気の漏れを抑制できるとともに、当該空気を第１風向調整板２１Ａと第２風向調整板２２Ａとの間の空間に向けて案内することができる。
【００４７】
駆動部７０は、第１吹出口１００Ａ１の短辺側を規定する吹出ダクト１００の側面に設けられている。駆動部７０は、第１風向調整部２０Ａを第１風向調整板２１Ａおよび第２風向調整板２２Ａの幅方向と平行な方向に延びる軸線を中心軸として回動させる。
【００４８】
なお、風向調整ユニット３Ｂの詳細な構成は、風向調整ユニット３Ａの構成とほぼ同様の構成である。図４に示すように、風向調整ユニット３Ｂは、第２風向調整部２０Ｂ、第１漏気防止部８１Ｂ、第２漏気防止部８２Ｂおよび駆動部（不図示）を含む。第２風向調整部２０Ｂは、第１風向調整板２１Ｂ、第２風向調整部２２Ｂおよび接続部（不図示）を含む。
【００４９】
送風ユニット２Ｂにおける送風ダクト５３Ｂは、送風ダクト５３Ａと比較した場合に、送風下流側の部分が送風ダクト５３Ａの中心軸を中心として周方向に略９０度回転した構成となっている。このため、送風ユニット２Ｂにおける第２風向調整部２０Ｂ、第１漏気防止部８１Ｂ、第２漏気防止部８２Ｂおよび駆動部は、送風ユニット２Ａにおける第１風向調整部２０Ａ、第１漏気防止部８１Ａ、第２漏気防止部８２Ａおよび駆動部７０が上述同様に略９０度回転したように構成されている。
【００５０】
図６は、図４に示すイオン発生器の平面図である。図７は、図６に示す矢印ＶＩＩに示す方向から見たイオン発生器の正面図である。図８は、図６に示す矢印ＶＩＩＩに示す方向から見たイオン発生器の正面図である。図６から図８を参照して、イオン発生器について説明する。
【００５１】
図６から図８に示すように、イオン発生器６０は、ケース６１と、放電電極６５ａ〜６５ｄと、誘導電極（対向電極）６５ｅと、高電圧発生回路部６６と、基板６９ａと、基板６９ｂとを含む。
【００５２】
ケース６１は、上部ケース６２と下部ケース６３とによって構成されている。上部ケース６２は、収容部６２ａ，６２ｂを有する。収容部６２ａと下部ケース６３との間の収容空間には、放電電極６５ａ，６５ｂおよび誘導電極６５ｅを固定する基板６９ａと、高電圧発生回路部６６とが収容される。収容部６２ｂと下部ケース６３との間の収容空間には、放電電極６５ｃ，６５ｄを固定する基板６９ｂが収容される。
【００５３】
上記の収容部６２ａと下部ケース６３との間の収容空間と、収容部６２ｂと下部ケース６３との間の収容空間とを連通する連通部６８を挟んで、ケース６１の内周面によって送風空間６４ａ，６４ｂが形成されている。
【００５４】
放電電極６５ａおよび放電電極６５ｃは、その先端が送風空間６４ａに位置するように、ケース６１に収容されている。また、放電電極６５ａと放電電極６５ｃは、電極の中心軸が互いに同一直線上に位置するように、対向して配置される。
【００５５】
放電電極６５ｂおよび放電電極６５ｄは、その先端が送風空間６４ｂに位置するようにケース６１に収容されている。また、放電電極６５ｂと放電電極６５ｄは、電極の中心軸が互いに同一直線上に位置するように対向して配置される。
【００５６】
これら放電電極６５ａ〜６５ｄは、先端が尖鋭化された針形状を有する。放電電極６５ａ〜６５ｄは、同一平面内に設けられている。放電電極６５ａ〜６５ｄは、各電極の中心軸が互いに平行となるように配置されている。
【００５７】
放電電極６５ａと放電電極６５ｂとは、電極の中心軸に直交する方向に離間して並んでいる。放電電極６５ｃと放電電極６５ｄとは、電極の中心軸に直交する方向に離間して並んでいる。
【００５８】
誘導電極６５ｅは、放電電極６５ａと放電電極６５ｂとの間に配置されている。誘導電極６５ｅは、放電電極６５ａおよび放電電極６５ｂから互いに等しい距離となる位置に設けられ、放電電極６５ｃおよび放電電極６５ｄから互いに等しい距離となる位置に設けられている。
【００５９】
放電電極６５ａと放電電極６５ｃとは、互いに異なる極性のイオンを発生させ、放電電極６５ｂと放電電極６５ｄとは、互いに異なる極性のイオンを発生させる。放電電極６５ａと放電電極６５ｂとは、互いに異なる極性のイオンを発生させ、放電電極６５ｃと放電電極６５ｄとは、互いに異なる極性のイオンを発生させる。
【００６０】
放電電極６５ａに正または負の高電圧が印加され、放電電極６５ｂに負または正の高電圧が印加されると、これら放電電極と誘導電極６５ｅとの間にコロナ放電が発生し、プラスイオンおよびマイナスイオンが発生する。同様に、放電電極６５ｃに負または正の高電圧が印加され、放電電極６５ｄに正または負の高電圧が印加されると、これら放電電極と誘導電極６５ｅとの間にコロナ放電が発生し、マイナスイオンおよびプラスイオンが発生する。
【００６１】
放電電極６５ａ〜６５ｄのそれぞれは、高電圧発生回路部６６と電気的に接続されており、高電圧発生回路部６６によって発生された高電圧が放電電極６５ａ〜６５ｄに印加される。
【００６２】
プラスイオンは、主としてＨ＋（Ｈ２Ｏ）ｎから成り、マイナスイオンは主としてＯ２−（Ｈ２Ｏ）ｍから成る。ｎ、ｍは整数である。プラスイオンとマイナスイオンが空気中の浮遊菌や臭気成分の表面に凝集すると、化学反応によって活性種である過酸化水素水Ｈ２Ｏ２または水酸基ラジカル［・ＯＨ］が生成される。過酸化水素や水酸基ラジカルは極めて強力な活性を有するため、浮遊菌や臭気成分は破壊される。
【００６３】
図９は、送風装置の側面側から見た場合における第１風向調整部を介して吹き出される第１空気流を示す模式図である。図１０は、送風装置の上面側から見た場合における第２風向調整部を介して吹き出される第２空気流を示す模式図である。図９および図１０を参照して、第１風向調整部２０Ａおよび第２風向調整部２０Ｂを介して吹き出される第１空気流５および第２空気流６について説明する。
【００６４】
図９に示すように、第１吹出口１００Ａ１から吹き出される空気は、風向調整ユニット３Ａ内の第１風向調整部２０Ａを通過することにより、吹出方向に対して凸状となる円弧を描くように放射状に広がる。このようにして、第１風向調整部２０Ａを介して扇形状の第１空気流５が吹き出される。第１空気流５は、水平方向（紙面垂直方向）に対して所定の厚さを有しており、正面から見た場合に帯状の形状を有する。このような形状に空気を絞ることにより、第１空気流５を所定の方向に沿って遠方まで送風することができる。
【００６５】
第１空気流５は、中心線５ａを有する。ここで、中心線５ａは、吹出方向に沿って略円弧状に第１空気流５を区画して分割した場合に、各区画において最も風速が速い部分を吹出方向に沿って結んだ線を指す。第１風向調整板２１の先端部と第２風向調整板２２の先端部との間を通過する空気の風速が速くなる傾向がある。
【００６６】
図１０に示すように、第２吹出口１００Ｂ１から吹き出される空気は、風向調整ユニット３Ｂ内の第２風向調整部２０Ｂを通過することにより、吹出方向に対して凸状となる円弧を描くように放射状に広がる。このようにして、第２風向調整部２０Ｂを介して扇形状の第２空気流６が吹き出される。第２空気流６は、上下方向（紙面垂直方向）に対して所定の厚さを有しており、正面から見た場合に帯状の形状を有する。このような形状に空気を絞ることにより、第２空気流６を所定の方向に沿って遠方まで送風することができる。
【００６７】
第２空気流６は、中心線６ａを有する。ここで、中心線６ａは、吹出方向に沿って略円弧状に第２空気流６を区画して分割した場合に、各区画において最も風速が速い部分を吹出方向に沿って結んだ線を指す。第１風向調整板２１の先端部と第２風向調整板２２の先端部との間を通過する空気の風速が速くなる傾向がある。
【００６８】
図１１は、図１に示す送風装置およびこれから吹き出される第１空気流および第２空気流の中心線を示す図である。図１１は、吹出方向に沿った室内２００の中央の断面図である。図１１を参照して、図１に示す送風装置から吹き出される空気流が室内に拡散される様子を示す。
【００６９】
図１１に示すように、本実施の形態に係る送風装置１は、室内２００の一方の側壁２００ｃ側の中央に設置される。また、送風装置１は、床面２００ｂ上に設置される。送風装置１は、第１風向調整部２０Ａ、第２風向調整部２０Ｂを介して、設置された側壁２００ｃ側とは反対側に位置する他方の側壁２００ｄに向けて第１空気流５および第２空気流６を吹き出す。
【００７０】
第１空気流５の中心線５ａおよび第２空気流６の中心線６ａが他方の側壁２００ｄに到達する前に送風装置１の前方で交差するように、第１風向調整部２０Ａ、第２風向調整部２０Ｂが構成されている。この際、中心線５ａの仰角は、中心線６ａの仰角よりも小さくなる。これにより、第１空気流５の送風範囲と第２空気流６の送風範囲とをより広域で重ならせることができる。
【００７１】
上方に位置する第１風向調整部２０Ａを介して吹き出される第１空気流５は、上下方向に放射状に広がりながら他方の側壁２００ｄに向けて移動する。下方に位置する第２風向調整部２０Ｂを介して吹き出される第２空気流６は、左右方向（水平方向）に放射状に広がりながら他方の側壁２００ｄに向けて移動する。
【００７２】
この際、第１空気流５は、第２空気流６に衝突することにより、第２空気流６を床面２００ｂ側に拡散させながら側壁２００ｄに向かう。また、第２空気流６は、第１空気流５に衝突することにより第１空気流５を水平方向に拡散させながら側壁２００ｄに向かう。
【００７３】
このような送風方法を用いて、第１風向調整部２０Ａおよび第２風向調整部２０Ｂによって上下方向および水平方向に放射状に広がるように絞られた空気を互いに直接衝突させることにより、室内に効率よく当該空気を拡散させることができる。
【００７４】
なお、本実施の形態においては、第１空気流５の中心線５ａと第２空気流６の中心線６ａとが室内において交差する場合を例示して説明したが、これに限定されず、第１空気流５の送風範囲と第２空気流６の送風範囲とが重なり合うことが可能である限り、中心線５ａと中心線６ａの仰角および方向は適宜選択することができる。
【００７５】
たとえば、中心線５ａの仰角が中心線６ａの仰角よりも大きくなるように第１風向調整部２０Ａおよび第２風向調整部２０Ｂが構成されていてもよい。このような場合には、中心線５ａと中心線６ｂとは室内において交差しないが、第１空気流５の送風範囲の一部と第２空気流６の送風範囲の一部とが重なることにより、上述のように第１空気流５および第２空気流６を水平方向および上下方向に拡散させることができる。この結果、室内に効率よく吹出口から吹き出される空気を拡散させることができる。
【００７６】
また、中心線５ａの仰角が中心線６ａの仰角よりも小さくなっているが、中心線５ａと中心線６ａとがねじれの位置にあるように第１風向調整部２０Ａおよび第２風向調整部２０Ｂが構成されていてもよい。このような場合であっても、第１空気流５の送風範囲の一部と第２空気流６の送風範囲の一部とが重なることにより、第１空気流５および第２空気流６を水平方向および上下方向に拡散させることができる。この結果、室内に効率よく吹出口から吹き出される空気を拡散させることができる。
【００７７】
図１２は、図１に示す送風装置によって室内に拡散されるイオンの濃度分布に関するシミュレーション結果を示す図である。図１２を参照して、送風装置１によって室内に拡散されるイオンの濃度分布に関するシミュレーション結果について説明する。
【００７８】
図１２に示すように、本シミュレーションにおいては、第１空気流５の中心線５ａの仰角が第２空気流６の中心線６ａよりも大きく、中心線５ａと中心線６ａとが交差しない場合を例示して説明する。具体的には、第１吹出口１００Ａ１の中心が床面２００ｂから６４７．５ｍｍの位置に位置し、第１空気流５の中心線５ａの仰角を２０．８度とした。また、第２吹出口１００Ｂ１の中心が床面２００ｂから３０３．２ｍｍの位置にし、第２空気流６の中心線６ａの仰角を１１．９度とした。
【００７９】
本シミュレーションの結果、イオン濃度分布に応じて室内２００を５つの領域に分割することができた。具体的には、イオン濃度が非常に高い領域２０１と、当該領域２０１に次いでイオン濃度が高い領域２０２と、当該領域２０２に次いでイオン濃度が高い領域２０３と、当該領域２０３に次いでイオン濃度が高い領域２０４と、イオン濃度が低い領域２０５とに室内２００を分割した。
【００８０】
領域２０１においては、そのイオン濃度が、領域２０５のイオン濃度の１３倍以上の値となった。領域２０２においては、そのイオン濃度が、領域２０５のイオン濃度の１０倍以上１３倍より小さい値となった。領域２０３においては、そのイオン濃度が領域２０５のイオン濃度の６倍以上１０倍より小さい値となった。領域２０４においては、そのイオン濃度が領域２０５の３倍以上６倍より小さい値となった。
【００８１】
また、第１空気流５と第２空気流６とを衝突させたことにより、イオン濃度の高い領域２０１，２０２，２０３のそれぞれが中心線６ａの延在する方向に沿って拡大した。さらに、他方の側壁２００ｄ側の領域においては、天面２００ａ側から床面２００ｂ側に亘ってイオンが拡散されていた。
【００８２】
このように、本シミュレーション結果からは、送風装置１によりイオン濃度を高濃度に保った状態でイオンを拡散させることができることがわかる。
【００８３】
以上のような構成とすることにより、本実施の形態に係る送風装置１および送風方法においては、室内に効率よく吹出空気を拡散させることができ、これによりイオンを室内の隅々にまで行き渡らせることができる。さらに、イオン濃度を高濃度に保った状態でイオンを室内に拡散させることができる。
【００８４】
中心線５ａと中心線５ｂとを交差させる場合には、第１空気流５の送風範囲と第２空気流６の送風範囲との重なる領域を増加させることができるため、イオン濃度をさらに高濃度に保った状態でイオンを拡散させることができる。
【００８５】
また、第１風向調整部２０Ａおよび第２風向調整部２０Ｂを回動させる場合には、第１空気流５の送風範囲と第２空気流６の送風範囲との重なる領域を増加させつつ、第１吹出口および第２吹出口からイオンを各方向に放出することができるため、イオン濃度をさらに高濃度に保った状態でイオンを拡散させることができる。
【００８６】
たとえば、第１風向調整部２０Ａを第１風向調整板２１Ａおよび第２風向調整板２２Ａの幅方向と平行な方向に延びる軸線を中心軸として上下方向に回動させた場合には、上下方向にイオンをさらに拡散させることができ、第２風向調整部２０Ｂを第１風向調整板２１Ｂおよび第２風向調整板２２Ｂの幅方向と平行な方向に延びる軸線を中心軸として左右方向に回動させた場合には、左右方向にイオンをさらに拡散させることができる。
【００８７】
イオンは空気中の浮遊菌および臭気成分を除去することができるため、イオン濃度を高濃度に保った状態でイオンを拡散させることにより、本実施の形態に係る送風装置１にあっては、除菌脱臭効果を向上させることができる。
【００８８】
なお、本実施の形態においては、複数の第１吹出口１００Ａ１および第２吹出口１００Ｂ１に別々に設けられたダクト４Ａ，４Ｂを介して送風機５１Ａ，５１Ｂから空気が送風される場合を例示したが、これに限定されない。すなわち、送風装置は、複数の吹出口に対して、同数のダクトおよび送風機が設けられた構成に限定されず、送風下流側で複数に分岐したダクトが複数の吹出口に連通しており、単数のダクトを介して単数の送風機から空気が送風される構成であってもよい。
【００８９】
また、第１空気流の風速と第２空気流の風速とは同じであってもよいし、異なっていてもよい。第１空気流の風速と第２空気流の風速を調整することにより、空気を拡散させる領域を拡大させることができる。たとえば、第１空気流の風速を第２空気流よりも速くした場合には、第１空気流が床面２００ｂ側に第２空気流を押し広げる力が強くなり、床面２００ｂ側により空気を拡散させることができる。
【００９０】
また、本実施の形態においては、送風装置１は、複数の吹出口の全てからイオンが放出されるように構成される場合を例示して説明したが、これに限定されず、少なくとも１つの吹出口からイオンが放出されるように構成されていてもよい。
【００９１】
（実施の形態２）
図１３は、本実施の形態に係る送風装置およびこれから吹き出される第１空気流および第２空気流の中心線を示す図である。図１３は、室内２００に配置された送風装置１Ｃを天面側から見た図である。図１３を参照して、本実施の形態に係る送風装置１Ｃについて説明する。
【００９２】
図１３に示すように、本実施の形態に係る送風装置１Ｃは、実施の形態１に係る送風装置１と比較した場合に、２つの送風ユニットが筐体１０内において水平方向に並ぶように配置されている点において相違し、その他の構成はほぼ同様である。２つの送風ユニットの構成は、実施の形態１に係る送風ユニット２Ａと同様である。
【００９３】
本実施の形態に係る送風装置１Ｃにおいては、第１空気流５の中心線５ｂおよび第２空気流６の中心線６ｂが室内の他方の側壁２００ｄに到達する前に送風装置１Ｃの前方で交差するように、第１風向調整部２０Ｃおよび第２風向調整部２０Ｄが構成されている。中心線５ｂは、送風装置１の正面方向に対して第２風向調整部２０Ｄに近づくように傾斜し、中心線６ｂは、送風装置１の正面方向に対して第１風向調整部２０Ｃに近づくように傾斜している。これにより、第１空気流５の送風範囲と第２空気流６の送風範囲とを重ならせることができる。
【００９４】
第１風向調整部２０Ｃを介して吹き出される第１空気流５は、上下方向（紙面垂直方向）に放射状に広がりながら、中心線５ｂの延在方向に沿って他方の側壁２００ｄ側へ移動する。第２風向調整部２０Ｄを介して吹き出される第２空気流６は、上下方向（紙面垂直方向）に放射状に広がりながら中心線６ｂの延在する方向に沿って他方の側壁２００ｄ側へ移動する。
【００９５】
第１空気流５は、第２空気流６に衝突することにより、吹出方向に略平行な一対側壁２００ｅ，２００ｆのうち第２風向調整部２０Ｄ側に位置する側壁２００ｆ側に第２空気流６を拡散させながら壁２００ｄに向かう。第２空気流６は、第１空気流５に衝突することにより、第１風向調整部２０Ｃ側に位置する側壁２００ｅ側に第１空気流を拡散させながら他方の壁２００ｄに向かう。
【００９６】
このような送風方法を用いて、第１風向調整部２０Ｃおよび第２風向調整部２０Ｄによって上下方向に放射状に広がるように絞られた空気を互いに直接衝突させることにより、室内に効率よく吹出空気を拡散させることができる。
【００９７】
この結果、本実施の形態に係る送風装置１Ｃおよび送風方法おいても実施の形態１に係る送風装置１および送風方法とぼぼ同様の効果を得ることができる。
【００９８】
なお、本実施の形態においては、第１空気流５の中心線５ｂと第２空気流６の中心線６ｂとが互いに交差する場合を例示して説明したが、第１空気流５の送風範囲と第２空気流の送風範囲とが重なり合うことが可能である限り、これに限定されない。たとえば、第１空気流５の中心線５ｂと第２空気流６の中心線６ｂとがねじれの位置関係にあってもよい。
【００９９】
また、第１空気流の風速と第２空気流の風速とは同じであってもよいし、異なっていてもよい。第１空気流の風速と第２空気流の風速を調整することにより、空気を拡散させる領域を拡大させることができる。たとえば、第１空気流の風速を第２空気流よりも速くした場合には、第１空気流が側壁２００ｆ側に第２空気流を押し広げる力が強くなり、側壁２００ｆ側により空気を拡散させることができる。
【０１００】
（実施の形態３）
図１４は、本実施の形態に係る送風装置およびこれから吹き出される第１空気流および第２空気流の中心線を示す図である。図１４は、吹出方向に沿った室内２００の中央の断面図である。図１４を参照して、本実施の形態に係る送風装置１Ｅについて説明する。
【０１０１】
図１４に示すように、本実施の形態に係る送風装置１Ｅは、実施の形態に係る送風装置１と比較した場合に、２つの送風ユニットが筐体１０内において上下方向に並ぶように配置されている点において相違し、その他の構成はほぼ同様である。２つの送風ユニットの構成は、実施の形態１に係る送風ユニット２Ｂと同様である。
【０１０２】
本実施の形態に係る送風装置１Ｅにおいては、第１空気流５の中心線５ｃおよび第２空気流６の中心線６ｃが室内の他方の側壁２００ｄに到達する前に送風装置１Ｅの前方で交差するように、第１風向調整部２０Ｅおよび第２風向調整部２０Ｆが構成されている。中心線５ｃは、第２風向調整部２０Ｆに近づくように所定の俯角を有する。中心線５ｄは、第１風向調整部２０Ｅに近づくように所定の仰角を有する。これにより、第１空気流５の送風範囲と第２空気流の送風範囲とを重ならせることができる。
【０１０３】
第１風向調整部２０Ｅを介して吹き出される第１空気流５は、水平方向（紙面垂直方向）に放射状に広がりながら、中心線５ｃが延在する方向に沿って他方の側壁２００ｄ側へ移動する。第２風向調整部２０Ｆを介して吹き出される第２空気流６は、水平方向（紙面垂直方向）に放射状に広がりながら中心線６ｃが延在する方向に沿って他方の側壁２００ｄ側へ移動する。
【０１０４】
第１空気流５は、第２空気流６に衝突することにより、第２空気流６を床面２００ｂ側に拡散させながら他方の側壁２００ｄに向かう。第２空気流６は、第１空気流５に衝突することにより、第１空気流５を天面２００ａ側に拡散させながら他方の側壁２００ｄに向かう。
【０１０５】
このような送風方法を用いて、第１風向調整部２０Ｅおよび第２風向調整部２０Ｆによって水平方向に放射状に広がるように絞られた空気を互いに直接衝突させることにより、室内に効率よく吹出空気を拡散させることができる。
【０１０６】
この結果、本実施の形態に係る送風装置１Ｅおよび送風方法にあっても実施の形態１に係る送風装置１とほぼ同様の効果が得られる。
【０１０７】
なお、本実施の形態においては、第１空気流５の中心線５ｃと第２空気流６の中心線６ｃとが互いに交差する場合を例示して説明したが、第１空気流５の送風範囲と第２空気流の送風範囲とが重なり合うことが可能である限り、これに限定されない。たとえば、第１空気流５の中心線５ｃと第２空気流６の中心線６ｃとがねじれの位置関係にあってもよい。
【０１０８】
また、第１空気流の風速と第２空気流の風速とは同じであってもよいし、異なっていてもよい。第１空気流の風速と第２空気流の風速を調整することにより、空気を拡散させる領域を拡大させることができる。たとえば、第２空気流の風速を第１空気流よりも速くした場合には、第２空気流が天面２００ａ側に第１空気流を押し広げる力が強くなり、天面２００ａ側により空気を拡散させることができる。
【０１０９】
（検証実験）
図１５は、本発明の効果を検証するために行なった検証実験の観測位置を示す図である。図１５を参照して、本発明の効果を検証するために行なった検証実験について説明する。
【０１１０】
本検証実験においては、実施例１，２として実施の形態１に係る送風装置１を使用した。実施例１においては、中心線５ａと中心線６ａとが交差するように第１風向調整部２０Ａおよび第２風向調整部２０Ｂを構成した。実施例２においては、中心線５ａが実施例１と同一の条件となるように第１風向調整部２０Ａを構成し、中心線６ａと床面２００ｂとが平行になるように第２風向調整部２０Ｂを構成した。
【０１１１】
８畳相当（幅３．６ｍ×奥行き３．６ｍ×高さ２．４ｍ）の室内２００に送風装置１を設置した。送風装置１は、室内２００の一方の壁２００ｃ側の中央に位置する床面２００ｂ上に設置した。
【０１１２】
送風装置１を設置した一方の側壁２００ｃから所定の距離Ｄ１ｍｍ離れた位置Ｑにおいて、送風装置１から放出されたイオンのイオン濃度を測定した。一方の側壁２００ｃに平行な平面Ｐにおいて、その中心を取り囲む所定の大きさの略矩形状の領域をイオン濃度の測定領域として規定した。当該測定領域を格子状に分割した際に形成される複数の格子点のそれぞれで、イオン濃度を測定した。実施例１および実施例２におけるイオン濃度を上記の同一の格子点で測定し、それぞれの値を比較した。
【０１１３】
実施例２における送風装置においても、上方に位置する第１風向調整部２０Ａから吹き出される第１空気流５は、上下方向に放射状に広がりながら他方の側壁２００ｄに向けて移動することから、これにより、下方に位置する第２風向調整部２０Ｂから吹き出される第２空気流６が拡散されることで相当程度、第１空気流５および第２空気流６を効率よく室内に拡散させることができた。これに対して、実施例１における送風装置においては、第１空気流５の中心線５ａと第２空気流６の中心線６ａとを室内において交差させることにより、第１空気流５および第２空気流６をさらに効率よく室内に拡散させることができた。
【０１１４】
実施例１のイオン濃度は、実施例２のイオン濃度を比較した場合に、イオン濃度の測定ポイントのうち２割程度の測定ポイントにおいて若干減少したが、残りの８割程度の測定ポイントにおいては増加していた。このように実施例１のイオン濃度は、全体として増加する傾向が観察された。
【０１１５】
具体的には、イオン濃度の減少率が５％〜４０％であったのに対して、イオン濃度の増加率は、数％〜４００％であった。実施例１のイオン濃度は、実施例２のイオン濃度と比較して全体としては、約４７％増加した。
【０１１６】
また、上記の測定領域内を水平方向に３つに分割した場合においても、分割された各領域において実施例１におけるイオン濃度は、実施例２におけるイオン濃度と比較して増加した。
【０１１７】
さらに、上記の測定領域を上下方向に３つに分割した場合においても、分割された各領域において実施例１におけるイオン濃度は、実施例２におけるイオン濃度と比較して増加した。
【０１１８】
以上の結果から、実施の形態１に係る送風装置１および送風方法にあっては、イオン濃度を高濃度に保った状態でイオンを拡散させることができ、特に第１空気流の中心線５ａと第２空気流の中心線６ａとを交差させることにより、イオンを室内の隅々にまで行き渡らせることができることが実験的にも確認されたと言える。
【０１１９】
また、実施の形態１に係る送風装置１および送風方法にあっては、イオンを室内の隅々にまで行き渡らせるように第１空気流および第２空気流を室内に効率よく拡散させることができることが実験的にも確認されたと言える。
【０１２０】
以上、本発明の実施の形態および実施例について説明したが、今回開示された実施の形態および実施例はすべての点で例示であって制限的なものではない。本発明の範囲は特許請求の範囲によって示され、特許請求の範囲と均等の意味および範囲内でのすべての変更が含まれる。
【符号の説明】
【０１２１】
１，１Ｃ，１Ｅ  送風装置、２Ａ，２Ｂ  送風ユニット、３，３Ａ，３Ｂ  風向調整ユニット、４，４Ａ，４Ｂ  ダクト、５  第１空気流、５ａ，５ｂ，５ｃ，５ｄ，６ａ，６ｂ，６ｃ  中心線、６  第２空気流、１０  筐体、１１  吸込口、１２，６２ａ，６２ｂ  収容部、１４，１５  開口部、１８Ａ，１８Ｂ  防護網、２０Ａ，２０Ｃ，２０Ｅ  第１風向調整部、２０Ｂ，２０Ｄ，２０Ｆ  第２風向調整部、２１Ａ，２１Ｂ  第１風向調整板、２１ａ，２２ａ  基端部、２２Ａ，２２Ｂ  第２風向調整板、２３  接続部、５１Ａ，５１Ｂ  送風機、５２Ａ，５２Ｂ  送風経路、５３，５３Ａ，５３Ｂ  送風ダクト、６０，６０Ａ，６０Ｂ  イオン発生器、６１  ケース、６２  上部ケース、６３  下部ケース、６４ａ，６４ｂ  送風空間、６５ａ，６５ｂ，６５ｃ，６５ｄ  放電電極、６５ｅ  誘導電極、６６  高電圧発生回路部、６８  連通部、６９ａ，６９ｂ  基板、７０  駆動部、８１Ａ，８１Ｂ  第１漏気防止部、８２Ａ，８２Ｂ  第２漏気防止部、１００，１００Ａ，１００Ｂ  吹出ダクト、１００Ａ１  第１吹出口、１００Ｂ１  第２吹出口、１０１Ａ  支持部。
【図１】
2015081690.tif 000003
【図２】
2015081690.tif 000004
【図３】
2015081690.tif 000005
【図４】
2015081690.tif 000006
【図５】
2015081690.tif 000007
【図６】
2015081690.tif 000008
【図７】
2015081690.tif 000009
【図８】
2015081690.tif 000010
【図９】
2015081690.tif 000011
【図１０】
2015081690.tif 000012
【図１１】
2015081690.tif 000013
【図１２】
2015081690.tif 000014
【図１３】
2015081690.tif 000015
【図１４】
2015081690.tif 000016
【図１５】
2015081690.tif 000017